(57)【要約】【課題】押圧部材による現像装置への押圧力が適切に現像装置に伝達される画像形成装置、及び、画像形成システムを実現することにある。【解決手段】潜像を現像するための現像装置と、二つの壁部を備え、前記現像装置を装着するための装着部と、を有する画像形成装置であって、前記装着部に装着された現像装置は、その軸方向が該現像装置の長手方向に沿う回動軸、まわりに回動可能であり、前記二つの壁部のうち前記回動軸から遠い方の第一壁部に、前記装着部に装着された現像装置を前記軸方向と交差する交差方向に押圧する押圧部材、が設けられていることを特徴とする。【選択図】      図９
2006308696.tif 000002
【特許請求の範囲】
【請求項１】
潜像を現像するための現像装置と、
二つの壁部を備え、前記現像装置を装着するための装着部と、
を有する画像形成装置であって、
前記装着部に装着された現像装置は、その軸方向が該現像装置の長手方向に沿う回動軸、まわりに回動可能であり、
前記二つの壁部のうち前記回動軸から遠い方の第一壁部に、前記装着部に装着された現像装置を前記軸方向と交差する交差方向に押圧する押圧部材、が設けられていることを特徴とする画像形成装置。
【請求項２】
請求項１に記載の画像形成装置において、
前記第一壁部の、前記軸方向における両端部に、前記押圧部材がそれぞれ設けられていることを特徴とする画像形成装置。
【請求項３】
請求項２に記載の画像形成装置において、
前記押圧部材は、前記装着部に装着された現像装置に当接する当接部と、回動支点と、を備えた押圧レバーであり、
前記軸方向において、前記回動支点から見て前記当接部とは反対側に、該押圧レバーを付勢するための付勢部材が設けられており、
前記当接部は、前記付勢部材よりも、前記軸方向において外側に位置することを特徴とする画像形成装置。
【請求項４】
請求項３に記載の画像形成装置において、
前記第一壁部は、凹部を備え、
前記押圧レバーは、該凹部に収容されており、
前記当接部は、該凹部の外へ突出していることを特徴とする画像形成装置。
【請求項５】
請求項４に記載の画像形成装置において、
前記現像装置には、該現像装置の表面から突出したリブ、が設けられており、
前記押圧レバーは、前記装着部に装着された現像装置の前記リブを押圧することを特徴とする画像形成装置。
【請求項６】
請求項５に記載の画像形成装置において、
前記第一壁部の、前記軸方向における一端部、に設けられている前記押圧レバー、
の前記当接部の、前記交差方向における位置は、
前記第一壁部の、前記軸方向における他端部、に設けられている前記押圧レバー、
の前記当接部の、前記交差方向における位置と、
異なることを特徴とする画像形成装置。
【請求項７】
請求項６に記載の画像形成装置において、
前記現像装置は、前記装着部へ挿入されることにより、該装着部に装着され、
前記現像装置の挿入方向上流側に設けられている前記押圧レバー、の前記当接部は、
前記現像装置の挿入方向下流側に設けられている前記押圧レバー、の前記当接部よりも、
前記交差方向において前記装着部の内側、に位置することを特徴とする画像形成装置。
【請求項８】
請求項６又は請求項７に記載の画像形成装置において、
前記付勢部材は、バネであり、
前記第一壁部の、前記軸方向における一端部、に設けられている前記押圧レバー、を付勢するためのバネのバネ定数は、
前記第一壁部の、前記軸方向における他端部、に設けられている前記押圧レバー、を付勢するためのバネのバネ定数と、
異なることを特徴とする画像形成装置。
【請求項９】
潜像を現像するための現像装置と、
二つの壁部を備え、前記現像装置を装着するための装着部と、
を有する画像形成装置であって、
前記装着部に装着された現像装置は、その軸方向が該現像装置の長手方向に沿う回動軸、まわりに回動可能であり、
前記二つの壁部のうち前記回動軸から遠い方の第一壁部に、前記装着部に装着された現像装置を前記軸方向と交差する交差方向に押圧する押圧部材、が設けられており、
前記第一壁部の、前記軸方向における両端部に、前記押圧部材がそれぞれ設けられており、
前記押圧部材は、前記装着部に装着された現像装置に当接する当接部と、回動支点と、を備えた押圧レバーであり、
前記軸方向において、前記回動支点から見て前記当接部とは反対側に、該押圧レバーを付勢するための付勢部材が設けられており、
前記当接部は、前記付勢部材よりも、前記軸方向において外側に位置し、
前記第一壁部は、凹部を備え、
前記押圧レバーは、該凹部に収容されており、
前記当接部は、該凹部の外へ突出しており、
前記現像装置には、該現像装置の表面から突出したリブ、が設けられており、
前記押圧レバーは、前記装着部に装着された現像装置の前記リブを押圧し、
前記第一壁部の、前記軸方向における一端部、に設けられている前記押圧レバー、
の前記当接部の、前記交差方向における位置は、
前記第一壁部の、前記軸方向における他端部、に設けられている前記押圧レバー、
の前記当接部の、前記交差方向における位置と、
異なり、
前記現像装置は、前記装着部へ挿入されることにより、該装着部に装着され、
前記現像装置の挿入方向上流側に設けられている前記押圧レバー、の前記当接部は、
前記現像装置の挿入方向下流側に設けられている前記押圧レバー、の前記当接部よりも、
前記交差方向において前記装着部の内側、に位置し、
前記付勢部材は、バネであり、
前記第一壁部の、前記軸方向における一端部、に設けられている前記押圧レバー、を付勢するためのバネのバネ定数は、
前記第一壁部の、前記軸方向における他端部、に設けられている前記押圧レバー、を付勢するためのバネのバネ定数と、
異なることを特徴とする画像形成装置。
【請求項１０】
コンピュータ、及び、
このコンピュータに接続可能な画像形成装置であって、潜像を現像するための現像装置と、二つの壁部を備え、前記現像装置を装着するための装着部と、  を有する画像形成装置であって、前記装着部に装着された現像装置は、その軸方向が該現像装置の長手方向に沿う回動軸、まわりに回動可能であり、前記二つの壁部のうち前記回動軸から遠い方の第一壁部に、前記装着部に装着された現像装置を前記軸方向と交差する交差方向に押圧する押圧部材、が設けられている画像形成装置、
を有する画像形成システム。
【発明の詳細な説明】
【技術分野】
【０００１】
本発明は、画像形成装置、及び、画像形成システムに関する。
【背景技術】
【０００２】
レーザビームプリンタ等の画像形成装置は既によく知られている。かかる画像形成装置は、例えば、潜像を担持するための感光体と、現像剤によって感光体に担持された潜像を現像する現像装置と、を有しており、ホストコンピュータなどの外部装置から画像信号等が送信されると、現像装置を感光体と対向する現像位置に位置決めし、感光体に担持された潜像を、現像装置内の現像剤で現像して現像剤像を形成し、当該現像剤像を媒体に転写して、最終的に媒体に画像を形成する。そして、当該画像形成装置には、前記現像装置を装着するための装着部が設けられており、装着部に装着された現像装置は、前記現像位置に適切に位置できるように、その軸方向が当該現像装置の長手方向に沿う回動軸、まわりに回動可能となっている。
【０００３】
例えば、回転可能な現像装置保持ユニットに前記装着部が設けられ、また、現像装置に間隔保持部材としてのコロが設けられている画像形成装置において、前記現像装置保持ユニットの回転により装着部に装着された現像装置が感光体に対向すると、現像装置のコロが感光体に当接する。かかる際に、現像装置は、コロを介して、感光体から力を受け、前記回動軸まわりに回動した後に所定の前記現像位置に停止する。
【０００４】
また、前記装着部には、当該装着部に装着された現像装置を前記軸方向と交差する交差方向に押圧する押圧部材、が設けられており、当該押圧部材は、例えば、現像装置が前記現像位置に位置する際に、コロを介して感光体に当接する現像装置を、感光体の方へ押圧する。
【特許文献１】特開２００３−１５４０９号公報
【発明の開示】
【発明が解決しようとする課題】
【０００５】
前記画像形成装置においては、押圧部材による現像装置への押圧力が適切に現像装置に伝達されることが要請される。当該押圧力が適切に現像装置に伝達されない場合には、押圧部材による押圧力を、必要以上に、大きくしなければならない不都合が生じる。
【０００６】
本発明は、かかる課題に鑑みてなされたものであり、その目的とするところは、押圧部材による現像装置への押圧力が適切に現像装置に伝達される画像形成装置、及び、画像形成システムを実現することにある。
【課題を解決するための手段】
【０００７】
主たる本発明は、潜像を現像するための現像装置と、二つの壁部を備え、前記現像装置を装着するための装着部と、を有する画像形成装置であって、前記装着部に装着された現像装置は、その軸方向が該現像装置の長手方向に沿う回動軸、まわりに回動可能であり、前記二つの壁部のうち前記回動軸から遠い方の第一壁部に、前記装着部に装着された現像装置を前記軸方向と交差する交差方向に押圧する押圧部材、が設けられていることを特徴とする画像形成装置である。
【０００８】
本発明の他の特徴については、本明細書及び添付図面の記載により明らかにする。
【発明を実施するための最良の形態】
【０００９】
本明細書及び添付図面の記載により、少なくとも次のことが明らかにされる。
【００１０】
潜像を現像するための現像装置と、二つの壁部を備え、前記現像装置を装着するための装着部と、を有する画像形成装置であって、前記装着部に装着された現像装置は、その軸方向が該現像装置の長手方向に沿う回動軸、まわりに回動可能であり、前記二つの壁部のうち前記回動軸から遠い方の第一壁部に、前記装着部に装着された現像装置を前記軸方向と交差する交差方向に押圧する押圧部材、が設けられていることを特徴とする画像形成装置。  
かかる場合には、押圧部材による現像装置への押圧力が適切に現像装置に伝達される画像形成装置を実現することが可能となる。
【００１１】
また、前記第一壁部の、前記軸方向における両端部に、前記押圧部材がそれぞれ設けられていることとしてもよい。  
かかる場合には、押圧部材による現像装置への押圧が安定する。
【００１２】
また、前記押圧部材は、前記装着部に装着された現像装置に当接する当接部と、回動支点と、を備えた押圧レバーであり、前記軸方向において、前記回動支点から見て前記当接部とは反対側に、該押圧レバーを付勢するための付勢部材が設けられており、前記当接部は、前記付勢部材よりも、前記軸方向において外側に位置することとしてもよい。  
かかる場合には、押圧部材による現像装置への押圧がより一層安定する。
【００１３】
また、前記第一壁部は、凹部を備え、前記押圧レバーは、該凹部に収容されており、前記当接部は、該凹部の外へ突出していることとしてもよい。  
かかる場合には、現像装置の挿入中に現像装置が押圧レバーと干渉する不都合、が回避され、かつ、押圧レバーが現像装置を適切に押圧できる。
【００１４】
また、前記現像装置には、該現像装置の表面から突出したリブ、が設けられており、前記押圧レバーは、前記装着部に装着された現像装置の前記リブを押圧することとしてもよい。  
かかる場合には、現像装置の挿入中に、押圧レバーが現像装置に接触する不都合を回避することができ、かつ、現像装置が装着部に装着されたことをユーザ等に報知することができる。
【００１５】
また、前記第一壁部の、前記軸方向における一端部、に設けられている前記押圧レバー、の前記当接部の、前記交差方向における位置は、前記第一壁部の、前記軸方向における他端部、に設けられている前記押圧レバー、の前記当接部の、前記交差方向における位置と、異なることとしてもよい。  
かかる場合には、現像装置の挿入中に、押圧レバーが現像装置に接触する不都合を回避することができる。
【００１６】
また、前記現像装置は、前記装着部へ挿入されることにより、該装着部に装着され、前記現像装置の挿入方向上流側に設けられている前記押圧レバー、の前記当接部は、前記現像装置の挿入方向下流側に設けられている前記押圧レバー、の前記当接部よりも、前記交差方向において前記装着部の内側、に位置することとしてもよい。
【００１７】
また、前記付勢部材は、バネであり、前記第一壁部の、前記軸方向における一端部、に設けられている前記押圧レバー、を付勢するためのバネのバネ定数は、前記第一壁部の、前記軸方向における他端部、に設けられている前記押圧レバー、を付勢するためのバネのバネ定数と、異なることとしてもよい。  
かかる場合には、押圧のバランスを良くすることができる。
【００１８】
また、潜像を現像するための現像装置と、二つの壁部を備え、前記現像装置を装着するための装着部と、を有する画像形成装置であって、前記装着部に装着された現像装置は、その軸方向が該現像装置の長手方向に沿う回動軸、まわりに回動可能であり、前記二つの壁部のうち前記回動軸から遠い方の第一壁部に、前記装着部に装着された現像装置を前記軸方向と交差する交差方向に押圧する押圧部材、が設けられており、前記第一壁部の、前記軸方向における両端部に、前記押圧部材がそれぞれ設けられており、前記押圧部材は、前記装着部に装着された現像装置に当接する当接部と、回動支点と、を備えた押圧レバーであり、前記軸方向において、前記回動支点から見て前記当接部とは反対側に、該押圧レバーを付勢するための付勢部材が設けられており、前記当接部は、前記付勢部材よりも、前記軸方向において外側に位置し、前記第一壁部は、凹部を備え、前記押圧レバーは、該凹部に収容されており、前記当接部は、該凹部の外へ突出しており、前記現像装置には、該現像装置の表面から突出したリブ、が設けられており、前記押圧レバーは、前記装着部に装着された現像装置の前記リブを押圧し、前記第一壁部の、前記軸方向における一端部、に設けられている前記押圧レバー、の前記当接部の、前記交差方向における位置は、前記第一壁部の、前記軸方向における他端部、に設けられている前記押圧レバー、の前記当接部の、前記交差方向における位置と、異なり、前記現像装置は、前記装着部へ挿入されることにより、該装着部に装着され、前記現像装置の挿入方向上流側に設けられている前記押圧レバー、の前記当接部は、前記現像装置の挿入方向下流側に設けられている前記押圧レバー、の前記当接部よりも、前記交差方向において前記装着部の内側、に位置し、前記付勢部材は、バネであり、前記第一壁部の、前記軸方向における一端部、に設けられている前記押圧レバー、を付勢するためのバネのバネ定数は、前記第一壁部の、前記軸方向における他端部、に設けられている前記押圧レバー、を付勢するためのバネのバネ定数と、異なることを特徴とする画像形成装置も実現可能である。  
このようにすれば、既述の総ての効果を奏するため、本発明の目的がより有効に達成される。
【００１９】
また、コンピュータ、及び、このコンピュータに接続可能な画像形成装置であって、潜像を現像するための現像装置と、二つの壁部を備え、前記現像装置を装着するための装着部と、  を有する画像形成装置であって、前記装着部に装着された現像装置は、その軸方向が該現像装置の長手方向に沿う回動軸、まわりに回動可能であり、前記二つの壁部のうち前記回動軸から遠い方の第一壁部に、前記装着部に装着された現像装置を前記軸方向と交差する交差方向に押圧する押圧部材、が設けられている画像形成装置、を有する画像形成システムも実現可能である。  
かかる場合には、押圧部材による現像装置への押圧力が適切に現像装置に伝達される画像形成システムを実現することが可能となる。
【００２０】
＝＝＝画像形成装置の全体構成例＝＝＝
次に、図１及び図２を用いて、画像形成装置としてプリンタ１０を例にとって、その概要について説明する。図１及び図２は、プリンタ１０を構成する主要構成要素を示した図であり、図１は、プリンタ１０がカラープリンタとして使用される際の主要構成要素を示した図、図２は、プリンタ１０がモノクロプリンタとして使用される際の主要構成要素を示した図である。プリンタ１０のカラープリンタ又はモノクロプリンタとしての使用については、後に詳しく説明する。なお、図１及び図２には、矢印にて上下方向を示しており、例えば、給紙トレイ９２は、プリンタ１０の下部に配置されており、定着ユニット９０は、プリンタ１０の上部に配置されている。
【００２１】
プリンタ１０は、図１及び図２に示すように、潜像を担持するための像担持体としての感光体２０の回転方向に沿って、帯電ユニット３０、露光ユニット４０、現像器保持ユニット５０、一次転写ユニット６０、中間転写体７０、クリーニングユニット７５を有し、さらに、二次転写ユニット８０、定着ユニット９０、液晶パネルにて構成されユーザ等への表示部としての表示ユニット９５、プリンタ１０全体を制御するための制御ユニット１００を有している。
【００２２】
感光体２０は、円筒状の導電性基材とその外周面に形成された感光層を有し、中心軸を中心に回転可能であり、本実施の形態においては、図１及び図２中の矢印で示すように時計回りに回転する。
【００２３】
帯電ユニット３０は、感光体２０を帯電するための装置であり、露光ユニット４０は、レーザを照射することによって帯電された感光体２０上に潜像を形成する装置である。この露光ユニット４０は、半導体レーザ、ポリゴンミラー、Ｆ−θレンズ等を有しており、外部のコンピュータ（図示せず）から入力された画像情報に基づいて、変調されたレーザを帯電された感光体２０に向けて照射する。
【００２４】
現像器保持ユニット５０は、現像剤を収容し感光体２０上に形成された潜像を現像するための現像装置、の一例としての現像器が装着可能な複数の装着部５０ａ、５０ｂ、５０ｃ、５０ｄを有している。これら装着部に装着された現像器に収容されたトナーＴを用いて感光体２０上に形成された潜像が現像される。
【００２５】
ところで、本実施の形態に係るプリンタ１０は、カラー画像を形成するカラープリンタ（カラー画像形成装置）として使用可能である。また、プリンタ１０は、単色画像を形成する単色プリンタ（単色画像形成装置）として使用可能である。  
プリンタ１０がカラープリンタとして使用される場合には、図１に示すように、４つの現像器、すなわち、ブラック現像器５１、シアン現像器５２、マゼンタ現像器５３、および、イエロー現像器５４が、現像器保持ユニット５０の４つの装着部５０ａ、５０ｂ、５０ｃ、５０ｄに挿入されることにより、装着部５０ａ、５０ｂ、５０ｃ、５０ｄに装着される。そして、感光体２０上に形成された潜像は各現像器５１、５２、５３、５４に収容されたトナーＴにより現像される。
【００２６】
また、現像器保持ユニット５０は、回転することにより、前記４つの現像器５１、５２、５３、５４を移動させることが可能である。すなわち、現像器保持ユニット５０は、回転軸５０ｅを中心として回転可能に設けられており、当該現像器保持ユニット５０には、回転軸５０ｅを取り囲むように４つの装着部５０ａ、５０ｂ、５０ｃ、５０ｄが設けられている。このため、各装着部に４つの現像器５１、５２、５３、５４がそれぞれ装着された状態で、回転軸５０ｅを中心として現像器保持ユニット５０が回転すると、装着されている４つの現像器５１、５２、５３、５４は、互いの相対位置を維持したまま移動することになる。そして、各現像器５１、５２、５３、５４は、感光体２０上に形成された潜像を、各現像器５１、５２、５３、５４に収容されたトナーＴにて現像する際に、感光体２０と対向する位置に移動する。そして、ある現像器にて１ページ分の潜像が現像されると、現像器保持ユニット５０が９０°回転し、隣接する現像器が感光体２０と対向する位置に順次移動する。
【００２７】
一方、プリンタ１０が単色プリンタとして使用される場合には、図２に示すように、同色の現像剤が収容された現像器が、現像器保持ユニット５０の４つの装着部５０ａ、５０ｂ、５０ｃ、５０ｄに挿入されることにより、装着部５０ａ、５０ｂ、５０ｃ、５０ｄに装着される。そして、感光体２０上に形成された潜像は、装着された同色の現像剤が収容されている現像器に収容されたトナーＴにより現像される。本実施形態では、４つの装着部５０ａ、５０ｂ、５０ｃ、５０ｄにブラック現像器５１が装着されることにより、プリンタ１０がモノクロプリンタとして使用可能となっている。そして、現像器保持ユニット５０を回転させることにより、装着された４つのブラック現像器５１のいずれかを感光体２０と対向する位置に移動させる。そして、感光体２０上に形成された潜像は、装着された４つのブラック現像器５１の中で感光体２０と対向する位置に移動したブラック現像器５１、に収容されたブラックトナーＴにて現像される。
【００２８】
なお、現像器と現像器保持ユニット５０については、後に詳述する。
【００２９】
一次転写ユニット６０は、感光体２０に形成されたトナー像を中間転写体７０に転写するための装置である。  
この中間転写体７０は、ＰＥＴフィルムの表面に錫蒸着層を設けさらにその表層に半導電塗料を形成、積層したエンドレスのベルトであり、感光体２０とほぼ同じ周速度にて回転駆動される。  
二次転写ユニット８０は、中間転写体７０上に形成されたトナー像を紙、フィルム、布等の媒体に転写するための装置である。  
定着ユニット９０は、媒体上に転写されたトナー像を媒体に融着させて永久像とするための装置である。  
クリーニングユニット７５は、一次転写ユニット６０と帯電ユニット３０との間に設けられ、感光体２０の表面に当接されたゴム製のクリーニングブレード７６を有している。このクリーニングユニット７５は、一次転写ユニット６０により中間転写体７０上にトナー像が転写された後に、感光体２０上に残存するトナーＴをクリーニングブレード７６により掻き落として除去するためのユニットである。
【００３０】
制御ユニット１００は、コントローラ部１０１と、ユニット制御部１０２とを有している（図３）。コントローラ部１０１は外部のコンピュータと通信し、ユニット制御部１０２は各ユニット等を制御して画像を形成する。コントローラ部１０１とユニット制御部１０２とはインターフェースを介して接続されている。
【００３１】
＝＝＝画像形成装置の動作例＝＝＝
次に、このように構成されたプリンタ１０の動作について、カラー画像を形成する場合の動作とモノクロ画像を形成する場合の動作とに分けて、以下に説明する。なお、プリンタ１０がカラープリンタとして使用される際には、プリンタ１０は、カラー画像だけでなく、モノクロ画像を形成することも可能である。したがって、以下に説明するモノクロ画像を形成する場合の動作は、プリンタ１０が前述したカラープリンタとして使用される際にモノクロ画像を形成する場合と、プリンタ１０がモノクロプリンタとして使用される際にモノクロ画像を形成する場合と、に適用される。
【００３２】
＜＜＜カラー画像の形成＞＞＞
先ず、カラー画像を形成する場合のプリンタ１０の動作について説明する。  
コンピュータ７０２からの画像データ及び制御信号がインターフェース（Ｉ／Ｆ）１１２（図３参照）を介してプリンタ１０のコントローラ部１０１に入力されると、このコントローラ部１０１からの指令に基づくユニット制御部１０２の制御により感光体２０、現像器に設けられた後述する現像ローラ、及び、中間転写体７０が回転する。感光体２０は、回転しながら、帯電位置において帯電ユニット３０により順次帯電される。
【００３３】
感光体２０の帯電された領域は、感光体２０の回転に伴って露光位置に至り、露光ユニット４０によって、第１色目、例えばイエローＹの画像情報に応じた潜像が該領域に形成される。また、現像器保持ユニット５０は、イエロー（Ｙ）トナーを収容したイエロー現像器５４が、感光体２０に対向した現像位置に位置している。
【００３４】
感光体２０上に形成された潜像は、感光体２０の回転に伴って現像位置に至り、イエロー現像器５４によってイエロートナーで現像される。これにより、感光体２０上にイエロートナー像が形成される。  
感光体２０上に形成されたイエロートナー像は、感光体２０の回転に伴って一次転写位置に至り、一次転写ユニット６０によって、中間転写体７０に転写される。この際、一次転写ユニット６０には、トナーＴの帯電極性とは逆の極性の一次転写電圧が印加される。なお、この間、感光体２０と中間転写体７０とは接触しており、また、二次転写ユニット８０は、中間転写体７０から離間している。
【００３５】
上記の処理が、第２色目、第３色目、及び、第４色目について、各々の現像器毎に順次実行されることにより、各画像信号に対応した４色のトナー像が、中間転写体７０に重なり合って転写される。これにより、中間転写体７０上にはフルカラートナー像が形成される。  
中間転写体７０上に形成されたフルカラートナー像は、中間転写体７０の回転に伴って二次転写位置に至り、二次転写ユニット８０によって媒体に転写される。なお、媒体は、給紙トレイ９２から、給紙ローラ９４、レジローラ９６を介して二次転写ユニット８０へ搬送される。また、転写動作を行う際、二次転写ユニット８０は中間転写体７０に押圧されるとともに二次転写電圧が印加される。  
媒体に転写されたフルカラートナー像は、定着ユニット９０によって加熱加圧されて媒体に融着される。
【００３６】
一方、感光体２０は一次転写位置を経過した後に、クリーニングユニット７５に支持されたクリーニングブレード７６によって、その表面に付着しているトナーＴが掻き落とされ、次の潜像を形成するための帯電に備える。掻き落とされたトナーＴは、クリーニングユニット７５が備える残存トナー回収部に回収される。
【００３７】
＜＜＜モノクロ画像の形成＞＞＞
次に、モノクロ画像を形成する場合のプリンタ１０の動作について説明する。  
コンピュータ７０２からの画像データ及び制御信号がインターフェース（Ｉ／Ｆ）１１２（図３参照）を介してプリンタ１０のコントローラ部１０１に入力されると、このコントローラ部１０１からの指令に基づくユニット制御部１０２の制御により感光体２０、現像器に設けられた後述する現像ローラ、及び、中間転写体７０が回転する。感光体２０は、回転しながら、帯電位置において帯電ユニット３０により順次帯電される。
【００３８】
感光体２０の帯電された領域は、感光体２０の回転に伴って露光位置に至り、露光ユニット４０によって、画像情報に応じた潜像が該領域に形成される。また、現像器保持ユニット５０はブラックトナーを収容したブラック現像器５１が感光体２０と対向した現像位置に位置している。
【００３９】
感光体２０上に形成された潜像は、感光体２０の回転に伴って現像可能な位置に至り、ブラック現像器５１によって現像される。これにより、感光体２０上にトナー像が形成される。  
感光体２０上に形成されたトナー像は、感光体２０の回転に伴って一次転写位置に至り、一次転写ユニット６０によって、中間転写体７０に転写される。この際、一次転写ユニット６０には、トナーの帯電極性とは逆の極性の一次転写電圧が印加される。なお、この間、二次転写ユニット８０は、中間転写体７０から離間している。
【００４０】
中間転写体７０上に形成されたトナー像は、中間転写体７０の回転に伴って二次転写位置に至り、二次転写ユニット８０によって媒体に転写される。なお、媒体は、給紙トレイ９２から、給紙ローラ９４、レジローラ９６を介して二次転写ユニット８０へ搬送される。また、転写動作を行う際、二次転写ユニット８０は中間転写体７０に押圧されるとともに二次転写電圧が印加される。  
媒体に転写されたトナー像は、定着ユニット９０によって加熱加圧されて媒体に融着される。
【００４１】
一方、感光体２０は一次転写位置を経過した後に、クリーニングユニット７５に支持されたクリーニングブレード７６によって、その表面に付着しているトナーＴが掻き落とされ、次の潜像を形成するための帯電に備える。掻き落とされたトナーＴは、クリーニングユニット７５が備える残存トナー回収部に回収される。
【００４２】
＝＝＝制御ユニットの概要＝＝＝
次に、制御ユニット１００の構成について図３を参照しつつ説明する。図３は、プリンタ１０の制御ユニット１００を示すブロック図である。
【００４３】
コントローラ部１０１は、ＣＰＵ１１１と、不図示のコンピュータと接続するためのインターフェース１１２と、コンピュータから入力された画像信号等を記憶するための画像メモリ１１３と、電気的に書き換え可能なＥＥＰＲＯＭ１１４ａ、ＲＡＭ１１４ｂ、各種制御用のプログラムを備えたプログラムＲＯＭ等からなるコントローラ部側メモリ１１４と、を備えている。このコントローラ部１０１には、プリンタ１０に接続されたコンピュータから画像信号等の各種情報が送出される。
【００４４】
コントローラ部１０１は、コンピュータ等から送出された画像信号としてのレッド、グリーン、ブルーのＲＧＢデータを、イエロー、マゼンタ、シアン、ブラックのＹＭＣＫ画像データに変換し、変換したＹＭＣＫ画像データを画像メモリ１１３に記憶する機能を有する。また、プリンタ１０が単色プリンタとして使用されている場合には、ＲＧＢデータをブラック画像データに変換し、変換したブラック画像データを画像メモリ１１３に記憶する。さらに、コントローラ部１０１は、接続されたコンピュータに各種情報を送出する機能を有している。
【００４５】
また、ＥＥＰＲＯＭ１１４ａには、プリンタ１０がカラープリンタとして使用されるか、モノクロプリンタとして使用されるかを示す装置情報としての機種情報が格納されている。ＣＰＵ１１１は、前述した４つの装着部のどこに現像器が装着されているかを示す現像器の装着情報、及び、各現像器の情報を、所定のタイミングでユニット制御部１０２から受信する。そして、当該装着情報に基づいて、ＥＥＰＲＯＭ１１４ａ内の前記機種情報を必要に応じて書き換える。なお、機種情報は、ＥＥＰＲＯＭ１１４ａ内に１ビットの情報として書き込まれており、その値が０のときはプリンタ１０がカラープリンタとして使用されていることを、その値が１のときはプリンタ１０がモノクロプリンタとして使用されていることを示している。この機種情報は、プリンタ１０の電源が投入された際にＥＥＰＲＯＭ１１４ａに基づいてＲＡＭ１１４ｂの情報が書き換えられる。
【００４６】
ユニット制御部１０２は、ＣＰＵ１２０と、電気的に書き換え可能なＥＥＰＲＯＭ１１６ａ、ＲＡＭ、各種制御用のプログラムを備えたプログラムＲＯＭ等からなるユニット制御部側メモリ１１６と、装置本体の各ユニット（帯電ユニット３０、露光ユニット４０、現像器保持ユニット５０、一次転写ユニット６０、クリーニングユニット７５、二次転写ユニット８０、定着ユニット９０、表示ユニット９５）を駆動制御するための各駆動制御回路等を有している。
【００４７】
ＣＰＵ１２０は、各駆動制御回路と電気的に接続され、コントローラ部１０１のＣＰＵ１１１からの制御信号に基づいて各駆動制御回路を制御する。すなわち、ユニット制御部１０２は、各ユニットが備えるセンサ等からの信号を受信することにより、各ユニットの状態を検出しつつ、コントローラ部１０１から入力される信号に基づいて、各ユニットを制御する。
【００４８】
また、ＣＰＵ１２０は、前述した機種情報に基づいて、各駆動制御回路を制御する。すなわち、機種情報の値が０の場合には、カラープリンタとして、当該プリンタ１０の各ユニットを制御し、装置情報の値が１の場合には、モノクロプリンタとして、プリンタ１０の各ユニットを制御する。
【００４９】
なお、ＣＰＵ１２０は、入出力ポート１２３を介して後述するＨＰ検出部３１とも接続されている。
【００５０】
＝＝＝現像器について＝＝＝
次に、図４乃至図８を用いて、現像器について説明する。図４は、現像器を表側から見たときの斜視図である。図５は、現像器を裏側から見たときの斜視図である。図６は現像器の主要構成要素を示した断面図である。図７は、連結部材５９０の正面図である。図８は、連結部材５９０の背面を示した斜視図である。なお、図６に示す断面図は、図４及び図５に示す現像器をその長手方向に垂直な面で切り取った断面を表したものである。また、図６においては、図１同様、矢印にて上下方向を示しており、さらに、図６は、イエロー現像器５４が、感光体２０と対向する現像位置に位置している状態を示している。
【００５１】
また、現像器保持ユニット５０に装着可能な現像器としては、ブラック（Ｋ）トナーを収容したブラック現像器５１、シアン（Ｃ）トナーを収容したシアン現像器５２、マゼンタ（Ｍ）トナーを収容したマゼンタ現像器５３、及び、イエロー（Ｙ）トナーを収容したイエロー現像器５４があるが、その構成については同様であるので、以下、イエロー現像器５４について説明する。  
イエロー現像器５４は、現像剤担持体としての現像ローラ５１０、シール部材５２０、トナー収容部５３０、ハウジング５４０、トナー供給ローラ５５０、規制ブレード５６０、位置決めピン５８８、連結部材５９０等を有している。
【００５２】
現像ローラ５１０は、トナーＴを担持して感光体２０と対向する現像位置に搬送する。この現像ローラ５１０は、図４に示すとおり、その長手方向両端部で支持されており、中心軸を中心として回転可能である。図６に示すように、現像ローラ５１０は、感光体２０の回転方向（図６において時計方向）と逆の方向（図６において反時計方向）に回転する。また、図６に示すように、イエロー現像器５４の現像ローラ５１０と感光体２０とは間隔を隔てて対向している。すなわち、イエロー現像器５４は、感光体２０上に形成された潜像を非接触状態で現像する。なお、感光体２０上に形成された潜像を現像する際には、現像ローラ５１０と感光体２０との間に交番電界が形成される。
【００５３】
また、図４に示すように、現像ローラ５１０の長手方向両端部には、間隔保持部材としてのコロ５７４が設けられている。このコロ５７４は、現像ローラ５１０の軸に回転自在に支持されている。また、コロ５７４の外径は、現像ローラの大径部５１０ａの外径よりも大きくなっており、したがって、コロ５７４は、現像器５１、５２、５３、５４が感光体２０と対向する現像位置に位置する際に、感光体２０に当接して該感光体２０と現像ローラ５１０との間隔を保持する機能を発揮する。
【００５４】
シール部材５２０は、イエロー現像器５４内のトナーＴが器外に漏れることを防止するとともに、現像位置を通過した現像ローラ５１０上のトナーＴを、掻き落とすことなく現像器内に回収する。このシール部材５２０は、ポリエチレンフィルム等からなるシールであり、現像ローラ５１０側とは逆側に設けられモルトプレーン等からなるシール付勢部材５２４の弾性力によって、現像ローラ５１０に押しつけられている。
【００５５】
ハウジング５４０は、一体成型された複数のハウジング部を溶着して形成されている。図６に示すように、当該ハウジング５４０は、ハウジング５４０の外部と連通する開口５７２を有し、ハウジング５４０の外方から当該開口５７２に周面を臨ませて、前述した現像ローラ５１０がその一部が露出した状態で配置されている。また、後述する規制ブレード５６０も、ハウジング５４０の外方から当該開口５７２に臨んだ状態で配置されている。また、当該ハウジング５４０は、トナーＴを収容可能なトナー収容部５３０を形成している。なお、図７に示すように、ハウジング５４０の側壁には、後述する連結部材５９０に設けられている穴部５９０ａ、５９０ｂに嵌合可能な、円状の断面を有する凸部５４０ａ、５４０ｂ、が設けられている。
【００５６】
トナー供給ローラ５５０は、前述したトナー収容部５３０に設けられ、当該トナー収容部５３０に収容されたトナーＴを現像ローラ５１０に供給する。このトナー供給ローラ５５０は、ポリウレタンフォーム等からなり、弾性変形された状態で現像ローラ５１０に当接している。トナー供給ローラ５５０は、トナー収容部５３０の下部に配置されており、トナー収容部５３０に収容されたトナーＴは、該トナー収容部５３０の下部にてトナー供給ローラ５５０によって現像ローラ５１０に供給される。トナー供給ローラ５５０は、中心軸を中心として、現像ローラ５１０の回転方向（図６において反時計方向）と逆の方向（図６において時計方向）に回転する。なお、トナー供給ローラ５５０は、トナー収容部５３０に収容されたトナーＴを現像ローラ５１０に供給する機能を有するとともに、現像後に現像ローラ５１０に残存しているトナーＴを、現像ローラ５１０から剥ぎ取る機能をも有している。
【００５７】
規制ブレード５６０は、現像ローラ５１０に担持されたトナーＴに電荷を付与し、また、現像ローラ５１０に担持されたトナーＴの層厚を規制する。この規制ブレード５６０は、ゴム部５６０ａと、ゴム支持部５６０ｂとを有している。ゴム部５６０ａは、シリコンゴム、ウレタンゴム等からなり、ゴム支持部５６０ｂは、リン青銅、ステンレス等のバネ性を有する薄板である。ゴム部５６０ａは、ゴム支持部５６０ｂに支持されており、ゴム支持部５６０ｂは、その一端部がブレード支持板金５６２に支持された状態で、ブレード支持板金５６２を介してハウジング５４０に取り付けられている。また、規制ブレード５６０の現像ローラ５１０側とは逆側には、モルトプレーン等からなるブレード裏部材５７０が設けられている。
【００５８】
ここで、ゴム支持部５６０ｂの撓みによる弾性力によって、ゴム部５６０ａが現像ローラ５１０に押しつけられている。また、ブレード裏部材５７０は、ゴム支持部５６０ｂとハウジング５４０との間にトナーＴが入り込むことを防止して、ゴム支持部５６０ｂの撓みによる弾性力を安定させるとともに、ゴム部５６０ａの真裏からゴム部５６０ａを現像ローラ５１０の方向へ付勢することによって、ゴム部５６０ａを現像ローラ５１０に押しつけている。したがって、ブレード裏部材５７０は、ゴム部５６０ａの現像ローラ５１０への均一当接性を向上させている。
【００５９】
また、図４及び図５に示すように、イエロー現像器５４の長手方向一端部には、当該イエロー現像器５４を現像器保持ユニット５０に連結させるための連結部材５９０が設けられている。
【００６０】
この連結部材５９０は、図７に示すように、ハウジング５４０に設けられた前述した凸部５４０ａ、５４０ｂと嵌合可能な穴部５９０ａ、５９０ｂ、を備えている。この穴部５９０ａ、５９０ｂは、図８に示すように、楕円状の断面を有しており、各々の断面の長軸の方向が同一方向になるように、形成されている。また、前述したように、凸部５４０ａ、５４０ｂは、円状の断面を有しているため、穴部５９０ａ、５９０ｂは、凸部５４０ａ、５４０ｂの該穴部５９０ａ、５９０ｂ内の移動を許容する。すなわち、連結部材５９０は、現像器本体（ハウジング５４０）との相対位置が変化可能となるように、現像器本体（ハウジング５４０）に取り付けられていることとなる。
【００６１】
また、連結部材５９０は、図８に示すように、現像器保持ユニット５０に設けられた後述する連結穴２５２、２５３に嵌合可能な二つの連結ピン５９０ｃ、５９０ｄを備えている。そして、イエロー現像器５４が装着部５０ｄに装着された際に、連結ピン５９０ｃ、５９０ｄが連結穴２５２、２５３に嵌合することにより、イエロー現像器５４が現像器保持ユニット５０に連結されるようになっている。
【００６２】
また、図４及び図５に示すように、イエロー現像器５４の長手方向他端部には、イエロー現像器５４を位置決めするための、金属製の位置決めピン５８８が設けられている。この位置決めピン５８８は、現像器保持ユニット５０に設けられた後述する位置決め穴２６２に嵌合可能であり、イエロー現像器５４が装着部５０ｄに装着された際に、位置決めピン５８８が位置決め穴２６２に嵌合することにより、イエロー現像器５４が位置決めされるようになっている。
【００６３】
このように構成されたイエロー現像器５４において、トナー供給ローラ５５０がトナー収容部５３０に収容されているトナーＴを現像ローラ５１０に供給する。現像ローラ５１０に供給されたトナーＴは、現像ローラ５１０の回転に伴って、規制ブレード５６０の当接位置に至り、該当接位置を通過する際に、電荷が付与されるとともに、層厚が規制される。層厚が規制された現像ローラ５１０上のトナーＴは、現像ローラ５１０のさらなる回転によって、感光体２０に対向する現像位置に至り、該現像位置にて交番電界下で感光体２０上に形成された潜像の現像に供される。現像ローラ５１０のさらなる回転によって現像位置を通過した現像ローラ５１０上のトナーＴは、シール部材５２０を通過して、シール部材５２０によって掻き落とされることなく現像器内に回収される。
【００６４】
＝＝＝現像器保持ユニットの構成例について＝＝＝
上述したとおり、現像器保持ユニット５０は、現像器５１、５２、５３、５４が装着可能な複数の装着部５０ａ、５０ｂ、５０ｃ、５０ｄを有しており、装着部５０ａには、ブラック現像器５１が、装着部５０ｂには、シアン現像器５２及びブラック現像器５１が、装着部５０ｃには、マゼンタ現像器５３及びブラック現像器５１が、装着部５０ｄには、イエロー現像器５４及びブラック現像器５１が、それぞれ装着可能となっている。そして、現像器保持ユニット５０は、これらの現像器を装着部に保持した状態で、回転軸５０ｅを中心として回転することが可能となっており、現像器保持ユニット５０が回転することにより、装着部に装着された現像器が移動するようになっている。
【００６５】
ここでは、現像器保持ユニット５０の構成例について、図９乃至図１８を用いて、さらに詳しく説明する。図９は、現像器保持ユニット５０を示した斜視図である。図１０は、４つのメインフレーム２１１、２２１、２３１、２４１と連結部２５０とを示した斜視図である。図１１は、サブフレーム２１２のおもて面を示した斜視図である。図１２は、サブフレーム２１２の裏面を示した斜視図である。図１３は、図１２に示したサブフレーム２１２から押圧レバー等が取り除かれた様子を示した斜視図である。図１４は、サブフレーム２１２の、メインフレーム２１１への取り付け構造を説明するための説明図である。図１５は、サブフレーム２１２に設けられている接触部２１２ｃの拡大図である。図１６は、第一押圧レバー２１３を示した斜視図である。図１７は、第二押圧レバー２１４を示した斜視図である。図１８は、装着部に装着された現像器とフレームとの位置関係を示した斜視図である。
【００６６】
現像器保持ユニット５０は、前記回転軸５０ｅと、互いに同様の構成を有する４つのフレーム２１０、２２０、２３０、２４０と、連結部２５０と、位置決め部２６０と、を有している。  
回転軸５０ｅは、現像器保持ユニット５０の中心部に設けられている。この回転軸５０ｅは、プリンタ１０の筐体をなす２枚の側板（図示せず）の間に架け渡されて、その両端部が支持されている。回転軸５０ｅには不図示のパルスモータが接続されており、このパルスモータを駆動することで回転軸５０ｅが回転するようになっている。なお、回転軸５０ｅの軸方向は、鉛直方向と交差している。
【００６７】
フレーム２１０、２２０、２３０、２４０は、樹脂製の部材であり、図９に示すように、回転軸５０ｅから４つの方向へ放射状に延出している。このフレーム２１０、２２０、２３０、２４０は、複数の（４つの）前記装着部５０ａ、５０ｂ、５０ｃ、５０ｄを構成している。すなわち、装着部５０ａ、５０ｂ、５０ｃ、５０ｄは、それぞれ、二つの壁部、すなわち、第一壁部５５ａ、５５ｂ、５５ｃ、５５ｄ及び第二壁部５７ａ、５７ｂ、５７ｃ、５７ｄ、を備えており（本実施の形態においては、便宜上、二つの壁部のうち、現像器の後述する回動軸Ａｘから遠い方の壁部、を第一壁部とする）、第一壁部５５ａ、５５ｂ、５５ｃ、５５ｄ、及び、第二壁部５７ａ、５７ｂ、５７ｃ、５７ｄは、フレーム２１０、２２０、２３０、２４０の面、すなわち、おもて面と裏面（本実施の形態においては、便宜上、後述する押圧レバーが設けられている方の面を裏面とする）、により構成されている。より具体的には、図９等に示すように、装着部５０ａの第一壁部５５ａと第二壁部５７ａは、それぞれ、フレーム２２０の裏面とフレーム２１０のおもて面により構成され、装着部５０ｂの第一壁部５５ｂと第二壁部５７ｂは、それぞれ、フレーム２４０の裏面とフレーム２３０のおもて面により構成され、装着部５０ｃの第一壁部５５ｃと第二壁部５７ｃは、それぞれ、フレーム２３０の裏面とフレーム２２０のおもて面により構成され、装着部５０ｄの第一壁部５５ｄと第二壁部５７ｄは、それぞれ、フレーム２１０の裏面とフレーム２４０のおもて面により構成されている。
【００６８】
連結部２５０は、前記回転軸５０ｅの軸方向一端側（現像器の、装着部５０ａ、５０ｂ、５０ｃ、５０ｄへの挿入方向上流側）に設けられており、装着部５０ａ、５０ｂ、５０ｃ、５０ｄに装着された現像器を現像器保持ユニット５０に連結させるためのものである。この連結部２５０は、図１０に示すように、後述するメインフレーム２１１、２２１、２３１、２４１と一体化されており、回転軸５０ｅから４つの方向へ放射状に延出する４つの延出部２５０ａ、２５０ｂ、２５０ｃ、２５０ｄを備えている（図９）。各々の延出部２５０ａ、２５０ｂ、２５０ｃ、２５０ｄの先端には、二つの連結穴２５２、２５３が設けられており、当該連結穴２５２、２５３には、前述した現像器の二つの連結ピン５９０ｃ、５９０ｄが、それぞれ嵌合可能となっている。より具体的には、連結ピン５９０ｃは連結穴２５２に嵌合可能であり、連結ピン５９０ｄは、前記連結穴２５２が設けられている延出部と隣り合う延出部に設けられている連結穴２５３に嵌合可能である。例えば、現像器が装着部５０ｄに装着される際には、連結ピン５９０ｃは、延出部２５０ａに設けられている連結穴２５２に嵌合し、連結ピン５９０ｄは、延出部２５０ｄに設けられている連結穴２５３に嵌合する。
【００６９】
位置決め部２６０は、前記回転軸５０ｅの軸方向他端側（現像器の、装着部５０ａ、５０ｂ、５０ｃ、５０ｄへの挿入方向下流側）に設けられており、装着部５０ａ、５０ｂ、５０ｃ、５０ｄに装着された現像器を位置決めするためのものである。この位置決め部２６０は、円形状を有しており、その周方向に９０度間隔で４つの位置決め穴２６２を備えている。そして、当該位置決め穴２６２には、装着部５０ａ、５０ｂ、５０ｃ、５０ｄに装着された現像器の位置決めピン５８８が嵌合可能となっている。
【００７０】
そして、現像器が、装着部へ挿入されて、当該装着部に装着された際には、二つの連結ピン５９０ｃ、５９０ｄが連結穴２５２、２５３に、位置決めピン５８８が位置決め穴２６２に、それぞれ嵌合する。このことにより、現像器が、装着部に連結され、かつ、装着部に対して位置決めされる。なお、前述したとおり、連結部材５９０は、現像器本体（連結部材５９０以外の部分）との相対位置が変化可能となるように、現像器本体に取り付けられており、かつ、現像器が装着部に装着された際には位置決めピン５８８が位置決め穴２６２に嵌合するから、装着部に装着された現像器（より正確には、前記現像器本体）は、位置決めピン５８８を通り、かつ、その軸方向が現像器の長手方向に沿う回動軸（図９において、一点鎖線Ａｘで表す）、まわりに回動可能となっている。
【００７１】
＜＜＜フレームの構成例＞＞＞
ここでは、フレームについて、より具体的に説明する。なお、フレームとしては、前述したとおり、４つのフレーム２１０、２２０、２３０、２４０があるが、その構成については同様であるので、以下、主として、フレーム２１０について説明する。  
フレーム２１０、２２０、２３０、２４０は、二つの部材、すなわち、メインフレーム２１１、２２１、２３１、２４１とサブフレーム２１２、２２２、２３２、２４２と、から構成されている。
【００７２】
メインフレーム２１１、２２１、２３１、２４１は、図１０に示すように、回転軸５０ｅから４つの方向へ放射状に延出している部材であり、現像器５１、５２、５３、５４の複数の装着部５０ａ、５０ｂ、５０ｃ、５０ｄの一部を構成している。メインフレーム２１１には、サブフレーム２１２を当該メインフレーム２１１にネジ止めするための３箇所のネジ止め部２１１ａと、サブフレーム２１２の後述する貫通部２１２ｂを貫通させるための７つの穴部２１１ｂと、が設けられている。
【００７３】
サブフレーム２１２、２２２、２３２、２４２は、図１１乃至図１３に示すように、メインフレーム２１１、２２１、２３１、２４１に取り付けられている矩形状の部材であり、当該サブフレーム２１２、２２２、２３２、２４２も、現像器５１、５２、５３、５４の複数の装着部５０ａ、５０ｂ、５０ｃ、５０ｄの一部を構成している。
【００７４】
先ず、サブフレーム２１２の、メインフレーム２１１への取り付け構造について説明すると、図１４に示すように、サブフレーム２１２は、メインフレーム２１１に重なるように、当該メインフレーム２１１に取り付けられている。すなわち、サブフレーム２１２は、メインフレーム２１１（の重なり部２１１ｃ）に重なる重なり部２１２ａを備えている。
【００７５】
また、サブフレーム２１２は、メインフレーム２１１に設けられている７つの穴部２１１ｂを貫通する７つの貫通部２１２ｂを有している。この貫通部２１２ｂの先端（換言すれば、サブフレーム２１２の短手方向におけるサブフレーム２１２の先端）には、メインフレーム２１１に接触する接触部２１２ｃが設けられており、当該接触部２１２ｃは、図１５に示すように、丸みを有している。
【００７６】
そして、図１４に示すように、サブフレーム２１２の重なり部２１２ａが、メインフレーム２１１に重なり、かつ、丸みを有する前記接触部２１２ｃがメインフレーム２１１に接触して食い込んだ状態で、サブフレーム２１２が、３箇所のネジ止め部２１２ｄにて、メインフレーム２１１にネジ止めされている。なお、メインフレーム２１１とサブフレーム２１２とが重なる部分、より具体的には、前記サブフレーム２１２の重なり部２１２ａの外部に露出していない非露出面２１２ｅ（サブフレームのおもて面の一部分）と、前記メインフレーム２１１の重なり部２１１ｃの外部に露出していない非露出面２１１ｄ（メインフレームの裏面の一部分）、には、フレーム２１０の補強等のため、図１０及び図１１に示すように、多数のリブ２１１ｅ、２１２ｆが設けられている。
【００７７】
また、サブフレーム２１２の裏面には、図１２に示すように、押圧部材の一例としての二つの押圧レバー（第一押圧レバー２１３及び第二押圧レバー２１４）と、付勢部材の一例としての二つの圧縮バネ（第一圧縮バネ２１５及び第二圧縮バネ２１６）と、回動規制部２１８とが設けられている。
【００７８】
第一押圧レバー２１３及び第二押圧レバー２１４は、装着部５０ｄに装着された現像器を、前述した回動軸Ａｘの軸方向と交差する交差方向（当該交差方向を、図１２中記号Ｘ２で表された矢印で示す）に押圧する。この第一押圧レバー２１３及び第二押圧レバー２１４は、現像器が感光体２０と対向する現像位置に位置する際に、コロ５７４を介して感光体２０に当接する現像器を、感光体２０の方へ押圧する機能を有している。
【００７９】
第一押圧レバー２１３及び第二押圧レバー２１４は、二つの前記壁部のうち前記回動軸Ａｘから遠い方の壁部、すなわち、前述した第一壁部５５ｄに設けられている。第一押圧レバー２１３及び第二押圧レバー２１４は、それぞれ、第一壁部５５ｄの、回動軸Ａｘの軸方向における両端部、に設けられている。より具体的には、図９に示すように、第一押圧レバー２１３は、前記軸方向における一端部（現像器の、装着部５０ｄへの挿入方向上流側）に設けられており、第二押圧レバー２１４は、前記軸方向における他端部（現像器の、装着部５０ｄへの挿入方向下流側）に設けられている。また、第一壁部５５ｄ（サブフレーム２１２）は、図１３に示すように、二つの凹部２１７を備えており、第一押圧レバー２１３及び第二押圧レバー２１４は、図１２に示すように、当該凹部２１７に収容されている。
【００８０】
第一押圧レバー２１３及び第二押圧レバー２１４は、装着部５０ｄに装着された現像器、に当接する当接部２１３ａ、２１４ａと、回動支点２１３ｂ、２１４ｂと、バネ固定部２１３ｃ、２１４ｃを備えている。バネ固定部２１３ｃ、２１４ｃには、第一圧縮バネ２１５及び第二圧縮バネ２１６が固定されており、第一圧縮バネ２１５及び第二圧縮バネ２１６が、図１２中記号Ｘ１で示される方向にバネ固定部２１３ｃ、２１４ｃを付勢する。そして、第一押圧レバー２１３及び第二押圧レバー２１４は、回動支点２１３ｂ、２１４ｂを中心として回動可能となるように、構成されており、第一圧縮バネ２１５及び第二圧縮バネ２１６がバネ固定部２１３ｃ、２１４ｃをＸ１方向へ付勢することにより、装着部５０ｄに装着された現像器が、当接部２１３ａ、２１４ａにより前記交差方向Ｘ２に押圧されるようになっている。
【００８１】
図１８に、第二押圧レバー２１４の当接部２１４ａが、装着部５０ｄに装着された現像器を押圧する様子を示す。本図に示されるように、現像器のハウジング５４０には、現像器の表面から突出した、被押圧部としてのリブ５４０ｄ、が設けられており（図５）、第二押圧レバー２１４（の当接部２１４ａ）は、装着部５０ｄに装着された現像器のリブ５４０ｄを押圧する。同様に、現像器のハウジング５４０には、現像器の表面から突出した、リブ５４０ｄとは異なるリブ５４０ｃ、が設けられており、第一押圧レバー２１３（の当接部２１３ａ）は、リブ５４０ｃを押圧する。
【００８２】
なお、前述したとおり、第一押圧レバー２１３及び第二押圧レバー２１４は、第一壁部５５ｄに設けられている凹部２１７に収容されているが、図１８に示すように、当接部２１３ａ、２１４ａは、リブ５４０ｃ、５４０ｄを適切に押圧することができるように、凹部２１７の外へ突出している。
【００８３】
また、第一圧縮バネ２１５及び第二圧縮バネ２１６は、回動軸Ａｘの軸方向において、回動支点２１３ｂ、２１４ｂから見て当接部２１３ａ、２１４ａとは反対側に設けられており、当接部２１３ａ、２１４ａは、圧縮バネよりも、前記軸方向において外側に位置している。
【００８４】
また、第一押圧レバー２１３の当接部２１３ａの、交差方向Ｘ２における位置は、第二押圧レバー２１４の当接部２１４ａの、交差方向Ｘ２おける位置と、異なっている。すなわち、図１６及び図１７に示されるように、第一押圧レバー２１３の、当接部２１３ａから回動支点２１３ｂまでの交差方向Ｘ２の距離ｄ１は、第二押圧レバー２１４の、当接部２１４ａから回動支点２１４ｂまでの交差方向Ｘ２の距離ｄ２よりも大きくなっており、このことが、当接部２１３ａの交差方向Ｘ２における前記位置と当接部２１４ａの交差方向Ｘ２における前記位置とを異ならせている。より具体的には、第一押圧レバー２１３の当接部２１３ａは、第二押圧レバー２１４の当接部２１４ａよりも、交差方向Ｘ２において前記装着部５０ｄの内側に位置している。なお、第一押圧レバー２１３及び第二押圧レバー２１４については、その形状が互いに異なるのみならず、当該押圧レバーに固定されている圧縮バネも互いに異なっている（圧縮バネのバネ定数が互いに異なっている）。
【００８５】
回動規制部２１８は、装着部５０ｄに装着されている現像器の、装着部５０ｄ内での回動、すなわち、第一押圧レバー２１３及び第二押圧レバー２１４の、現像器に対する交差方向Ｘ２への押圧、により現像器が前記回動軸Ａｘまわりに回動すること、を規制する。前述したとおり、現像器が、感光体２０と対向する現像位置、に位置する際には、現像器に設けられているコロ５７４が感光体２０に当接するため、現像器の回動軸Ａｘまわりの回動は、感光体により規制される。しかしながら、現像器（現像器保持ユニット５０）が前記現像位置以外の位置、例えば、後述するＨＰ位置や装着位置、に位置する際には、現像器が感光体２０と対向しないため、感光体２０は前記回動を規制する機能を発揮しない。そこで、現像器が前記現像位置以外の位置に位置する際に、回動規制部２１８は、現像器の、装着部５０ｄ内での回動を規制する役割を果たすこととなる。
【００８６】
この回動規制部２１８は、図９、図１２等に示すように、前記回動軸Ａｘの軸方向に沿って設けられている。回動規制部２１８は、図１４に示すように、サブフレーム２１２の裏面（第一壁部５５ｄ）から上方へ延出しており、図１８に示すように、当該回動規制部２１８の内側面２１８ａが現像器の回動を規制する。すなわち、図１８に示すように、第一押圧レバー２１３及び第二押圧レバー２１４が現像器のリブ５４０ｃ、５４０ｄを押圧することにより、現像器には、当該現像器を回動させる力が加わるが、前記内側面２１８ａに現像器の接触面５７６(図６)が接触するため、現像器の回動が当該内側面２１８ａにより規制されることとなる。
【００８７】
また、サブフレーム２１２のおもて面には、装着部に装着されている現像器が装着部から抜けることを防止するための抜け防止部２１９が設けられている。この抜け防止部２１９は、図１１に示すように、前記回動軸Ａｘの軸方向に沿って設けられており、図１８に示すように、抜け防止部２１９の内側面２１９ａが、現像器が装着部から抜けることを防止する。すなわち、図１８に示すように、前記内側面２１９ａは、現像器の接触面５７８(図６) に接触可能となっており、内側面２１９ａが接触面５７８に接触することにより、現像器の、装着部からの抜けが防止される。
【００８８】
なお、回動規制部２１８は、サブフレーム２１２の裏面に、抜け防止部２１９は、サブフレーム２１２のおもて面に、それぞれ設けられているから、前記回動規制部２１８が設けられている装着部と前記抜け防止部２１９が設けられている装着部は、互いに異なっている。より具体的には、図１８に示すように、サブフレーム２１２は、装着部５０ａに装着されている現像器が該装着部５０ａから抜けることを防止するための抜け防止部２１９と、装着部５０ａと隣り合う装着部５０ｄに装着されている現像器の、該装着部５０ｄ内での回動、を規制するための回動規制部２１８と、を備えている。同様に、サブフレーム２２２は、装着部５０ｃに装着されている現像器が該装着部５０ｃから抜けることを防止するための抜け防止部２２９と、装着部５０ｃと隣り合う装着部５０ａに装着されている現像器の、該装着部５０ａ内での回動、を規制するための回動規制部２２８と、を備え、サブフレーム２３２は、装着部５０ｂに装着されている現像器が該装着部５０ｂから抜けることを防止するための抜け防止部２３９と、装着部５０ｂと隣り合う装着部５０ｃに装着されている現像器の、該装着部５０ｃ内での回動、を規制するための回動規制部２３８と、を備え、サブフレーム２４２は、装着部５０ｄに装着されている現像器が該装着部５０ｄから抜けることを防止するための抜け防止部２４９と、装着部５０ｄと隣り合う装着部５０ｂに装着されている現像器の、該装着部５０ｂ内での回動、を規制するための回動規制部２４８と、を備えている。
【００８９】
＝＝＝現像器保持ユニットの停止位置等について＝＝＝
ここでは、図１９Ａ乃至図１９Ｃを用いて、回転する現像器保持ユニット５０の停止位置等について説明する。
【００９０】
図１９Ａ乃至図１９Ｃは、回転する現像器保持ユニット５０の３つの停止位置を示しており、図１９Ａは、画像形成の実行を待機しているときの待機位置であって、現像器保持ユニット５０の回転方向の基準位置となる停止位置でもあるホームポジション位置（以下「ＨＰ位置」という）を、図１９Ｂは、現像器保持ユニット５０の装着部５０ｄに装着されたイエロー現像器５４の現像位置を、図１９Ｃは、当該装着部５０ｄに装着されたイエロー現像器５４の装着位置を、それぞれ示している。  
ここで、図１９Ｂ及び図１９Ｃにおいて、現像位置と装着位置は、イエロー現像器５４（装着部５０ｄ）を対象として示したが、現像器保持ユニット５０を９０°ずつ回転させた位置が、各現像器（各装着部）の現像位置及び装着位置となる。
【００９１】
先ず、図１９Ａに示すＨＰ位置について説明する。現像器保持ユニット５０の回転軸５０ｅの一方端側には、ＨＰ位置を検出するためのＨＰ検出部３１（図３）が設けられている。このＨＰ検出部３１は、回転軸５０ｅの一方端に固着された信号生成用の円盤と、発光部、受光部を備えたフォト・インタラプタ等からなるＨＰセンサとで構成されている。円盤の周縁部は、ＨＰセンサの発光部と受光部との間に位置するように配置され、円盤に形成されたスリット部がＨＰセンサの検出位置に移動してくると、ＨＰセンサからの出力信号が「Ｌ」から「Ｈ」に変化する。そして、この信号レベルの変化とパルスモータのパルス数に基づき現像器保持ユニット５０のＨＰ位置が検出され、このＨＰ位置を基準として、各現像器の現像位置等に位置決めすることができるように構成されている。
【００９２】
また、当該ＨＰ位置においては、図１９Ａに示すように、装着部に装着されているいずれの現像器も、感光体２０と対向していないため、前記内側面２１８ａに現像器の前記接触面５７６が接触し、現像器の回動が当該内側面２１８ａにより規制されている。
【００９３】
図１９Ｂには、前記ＨＰ位置から所定のパルス数分だけ、前記パルスモータを回動させたイエロー現像器５４の現像位置が示されている。現像器保持ユニット５０が、前記ＨＰ位置等から当該現像位置へ移動すると、イエロー現像器５４が感光体２０に対向し、イエロー現像器５４のコロ５７４が感光体２０に当接する。かかる際に、イエロー現像器５４は、コロ５７４を介して、感光体２０から力を受け、回動軸Ａｘまわりに回動した後に停止する。そして、かかる回動の際に、前記接触面５７６は前記内壁面２１８ａから離間し、イエロー現像器５４が停止した状態で、前記第一押圧レバー２１３及び第二押圧レバー２１４がイエロー現像器５４を押圧することとなる。
【００９４】
図１９Ｃには、イエロー現像器５４の装着位置が示されている。前記現像器保持ユニット５０を支持し、プリンタ１０の筐体をなす２枚のフレーム側板の一方には、１つの現像器のみが通過可能な装着専用口３７と、装着専用口３７を開閉可能に覆う内側カバー（図示せず）とが設けられている。装着専用口３７は、図１９Ｃに示すように、現像器保持ユニット５０を回転させて前記装着位置に停止させた際に、現像器（ここでは、イエロー現像器５４）を、回転軸５０ｅに沿う方向に挿入して、該当する装着部のみに装着させることが可能な位置に形成されている。そして、現像器保持ユニット５０が装着位置以外に位置する間は、現像器の装着はフレーム側板によって規制されている。なお、当該装着位置においても、図１９Ｃに示すように、装着部に装着されているいずれの現像器も、感光体２０と対向していないため、前記内側面２１８ａに現像器の前記接触面５７６が接触し、現像器の回動が当該内側面２１８ａにより規制されている。
【００９５】
また、現像器保持ユニット５０には、現像器保持ユニット５０を上記した位置で確実に位置決め固定するために、不図示のロック機構が設けられている。
【００９６】
＜＜＜現像器の装着部への装着について＞＞＞
ここでは、現像器の装着部への装着について、図９を用いて説明する。なお、装着部５０ａ、装着部５０ｂ、装着部５０ｃ、及び、装着部５０ｄへの現像器の装着は同様なので、以下においては、現像器の装着部５０ｄへの装着について、説明する。
【００９７】
現像器の装着部５０ｄへの装着は、現像器保持ユニット５０が現像器の装着位置に位置している状態で、開始される。ここでは、現像器が、予め、装着部５０ｄに装着されていないものとして説明する。
【００９８】
ユーザ等が前述した不図示の内側カバーを開けると、ユーザ等による現像器の装着部５０ｄへの装着が可能となる。ユーザ等は、装着専用口３７を通して、図９中矢印で示す挿入方向に現像器を挿入し、現像器を装着部５０ｄへ装着する。かかる際に、前述した回動規制部２１８及び抜け防止部２４９（図１８）は、現像器を装着部５０ｄ内へ案内するためのガイド部としての役割を果たす。
【００９９】
また、上述したように、本実施の形態に係るプリンタ１０は、第一押圧レバー２１３及び第二押圧レバー２１４が現像器の表面ではなく当該表面から突出したリブ５４０ｃ、５４０ｄを押圧する構成、を有しているから、現像器の挿入中に、第一押圧レバー２１３及び第二押圧レバー２１４が現像器に接触する不都合を回避することができる。また、現像器が装着部５０ｄに完全に装着されたときに、第一押圧レバー２１３及び第二押圧レバー２１４がリブ５４０ｃ、５４０ｄに当接するから、現像器が装着部５０ｄに装着されたことをユーザ等に報知することができる。なお、現像器挿入中における、リブ５４０ｄ（挿入方向下流側のリブ）の、第一押圧レバー２１３（挿入方向上流側の押圧レバー）への接触、による不都合は、第一押圧レバー２１３の当接部２１３ａの、交差方向Ｘ２における位置を、第二押圧レバー２１４の当接部２１４ａの、交差方向Ｘ２おける位置と、異ならせたことにより、適切に解消されている。すなわち、本実施の形態に係るプリンタ１０は、現像器の挿入中に、第一押圧レバー２１３及び第二押圧レバー２１４が現像器に接触しないように、構成されている。  
そして、現像器が装着部５０ｄに装着された後に、ユーザ等が、前記内側カバーを閉じることにより、現像器の装着部５０ｄへの装着が完了する。
【０１００】
＝＝＝本実施の形態に係るプリンタ等の有効性について＝＝＝
本実施の形態に係るプリンタ１０は、潜像を現像するための現像器５１、５２、５３、５４と、二つの壁部、すなわち、第一壁部５５ａ、５５ｂ、５５ｃ、５５ｄ及び第二壁部５７ａ、５７ｂ、５７ｃ、５７ｄ、を備え現像器５１、５２、５３、５４を装着するための装着部５０ａ、５０ｂ、５０ｃ、５０ｄと、を有している。また、装着部５０ａ、５０ｂ、５０ｃ、５０ｄに装着された現像器５１、５２、５３、５４は、その軸方向が現像器５１、５２、５３、５４の長手方向に沿う回動軸Ａｘ、まわりに回動可能であり、プリンタ１０には、前記二つの壁部のうち前記回動軸Ａｘから遠い方の第一壁部５５ａ、５５ｂ、５５ｃ、５５ｄに、装着部５０ａ、５０ｂ、５０ｃ、５０ｄに装着された現像器５１、５２、５３、５４を前記軸方向と交差する交差方向Ｘ２に押圧する押圧レバー（第一押圧レバー２１３及び第二押圧レバー２１４）、が設けられている。このことにより、押圧レバーによる現像器５１、５２、５３、５４への押圧力が適切に現像器５１、５２、５３、５４に伝達されるプリンタ１０等を実現することができる。
【０１０１】
すなわち、背景技術の項で説明したとおり、プリンタ１０においては、押圧レバーによる現像器５１、５２、５３、５４への押圧力が適切に現像器５１、５２、５３、５４に伝達されることが要請される。当該押圧力が適切に現像器５１、５２、５３、５４に伝達されない場合には、押圧レバーによる押圧力を、必要以上に、大きくしなければならない不都合が生じる。
【０１０２】
例えば、上述した構成を有するプリンタ１０において、押圧レバーが回動軸Ａｘから遠い方の第一壁部５５ａ、５５ｂ、５５ｃ、５５ｄではなく回動軸Ａｘから近い方の第二壁部に設けられている場合には、押圧レバーが回動軸Ａｚから近い位置にあるため、押圧レバーが現像器５１、５２、５３、５４を押圧しても、押圧力が現像器５１、５２、５３、５４に適切に伝達されず、現像器５１、５２、５３、５４（に設けられたコロ５７４）の、感光体２０への当接力が弱くなる。そして、当該当接力を十分な大きさにするためには、押圧レバーによる押圧力を、必要以上に、大きくしなければならない不都合が生じる。
【０１０３】
これに対し、本実施の形態に係るプリンタ１０においては、押圧レバーが回動軸Ａｘから遠い方の第一壁部５５ａ、５５ｂ、５５ｃ、５５ｄに設けられており、押圧レバーが回動軸Ａｚから遠い位置にあるため、押圧レバーによる押圧力が現像器５１、５２、５３、５４に適切に伝達され、現像器５１、５２、５３、５４（に設けられたコロ５７４）の、感光体２０への当接力が十分な大きさとなる。
【０１０４】
このように、本実施の形態によれば、押圧レバーによる現像器５１、５２、５３、５４への押圧力が適切に現像器５１、５２、５３、５４に伝達されるプリンタ１０を実現することが可能となる。
【０１０５】
＝＝＝その他の実施の形態＝＝＝
以上、上記実施の形態に基づき本発明に係る画像形成装置等を説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【０１０６】
上記実施の形態においては、画像形成装置として、カラープリンタ及び単色（モノクロ）プリンタとして使用可能なプリンタ、を例にとって説明したが、これに限定されるものではない。本発明は、通常のカラープリンタや単色（モノクロ）プリンタにも適用可能である。また、本発明は、複写機、ファクシミリなど、各種の画像形成装置に適用可能である。
【０１０７】
また、感光体についても、円筒状の導電性基材の外周面に感光層を設けて構成した、いわゆる感光ローラに限られず、ベルト状の導電性基材の表面に感光層を設けて構成した、いわゆる感光ベルトであってもよい。
【０１０８】
また、上記実施の形態においては、押圧部材として、押圧レバーを例にとって説明したが、これに限定されるものではなく、例えば、押圧部材は板バネであってもよい。
【０１０９】
また、上記実施の形態においては、第一壁部５５ａ、５５ｂ、５５ｃ、５５ｄの、回動軸Ａｘの軸方向における両端部に、第一押圧レバー２１３及び第二押圧レバー２１４がそれぞれ設けられていることとしたが、これに限定されるものではない。例えば、第一壁部の前記軸方向における中央部に、一つだけ押圧レバーが設けられていることとしてもよい。  
ただし、押圧レバーによる現像器への押圧が安定する点で、上記実施の形態の方がより望ましい。
【０１１０】
また、上記実施の形態において、第一押圧レバー２１３及び第二押圧レバー２１４は、装着部に装着された現像器に当接する当接部２１３ａ、２１４ａと、回動支点２１３ｂ、２１４ｂと、を備え、回動軸Ａｘの軸方向において、回動支点２１３ｂ、２１４ｂから見て当接部２１３ａ、２１４ａとは反対側に、第一押圧レバー２１３及び第二押圧レバー２１４を付勢するための第一圧縮バネ２１５及び第二圧縮バネ２１６が設けられており、当接部２１３ａ、２１４ａは、第一圧縮バネ２１５及び第二圧縮バネ２１６よりも、前記軸方向において外側に位置することとしたが、これに限定されるものではない。例えば、当接部２１３ａ、２１４ａは、第一圧縮バネ２１５及び第二圧縮バネ２１６よりも、前記軸方向において内側に位置することとしてもよい。  
ただし、押圧レバーによる現像器への押圧がより一層安定する点で、上記実施の形態の方がより望ましい。
【０１１１】
また、上記実施の形態において、第一壁部５５ａ、５５ｂ、５５ｃ、５５ｄは、凹部２１７を備え、第一押圧レバー２１３及び第二押圧レバー２１４は、該凹部２１７に収容されており、当接部２１３ａ、２１４ａは、該凹部２１７の外へ突出していることとしたが、これに限定されるものではない。例えば、第一押圧レバー２１３及び第二押圧レバー２１４は、凹部ではなく、平坦面に設けられていることとしてもよい。  
ただし、現像器の挿入中に現像器が押圧レバーと干渉する不都合、が回避され、かつ、押圧レバーが現像器を適切に押圧できる点で、上記実施の形態の方がより望ましい。
【０１１２】
また、上記実施の形態において、現像器には、該現像器の表面から突出したリブ５４０ｃ、５４０ｄ、が設けられており、第一押圧レバー２１３及び第二押圧レバー２１４は、装着部に装着された現像器のリブ５４０ｃ、５４０ｄを押圧することとしたが、これに限定されるものではない。例えば、現像器には、リブが設けられておらず、押圧レバーは、現像器の表面を押圧することとしてもよい。
【０１１３】
また、上記実施の形態において、第一壁部５５ａ、５５ｂ、５５ｃ、５５ｄの、前記軸方向における一端部、に設けられている第一押圧レバー２１３、の当接部２１３ａの、前記交差方向Ｘ２における位置は、第一壁部５５ａ、５５ｂ、５５ｃ、５５ｄの、前記軸方向における他端部、に設けられている第二押圧レバー２１４、の当接部２１４ａの、前記交差方向Ｘ２における位置と、異なることとしたが、これに限定されるものではなく、第一押圧レバー２１３の当接部２１３ａの、前記交差方向Ｘ２における位置と、第二押圧レバー２１４の当接部２１４ａの、前記交差方向Ｘ２における位置と、が同じであることとしてもよい。
【０１１４】
また、上記実施の形態において、現像器の挿入方向上流側に設けられている第一押圧レバー２１３、の当接部２１３ａは、現像器の挿入方向下流側に設けられている第二押圧レバー２１４、の当接部２１４ａよりも、前記交差方向Ｘ２において前記装着部５０ａ、５０ｂ、５０ｃ、５０ｄの内側、に位置することとしたが、これに限定されるものではなく、第一押圧レバー２１３の当接部２１３ａは、第二押圧レバー２１４の当接部２１４ａよりも、前記交差方向Ｘ２において前記装着部５０ａ、５０ｂ、５０ｃ、５０ｄの外側、に位置することとしてもよい。
【０１１５】
また、上記実施の形態において、第一壁部５５ａ、５５ｂ、５５ｃ、５５ｄの、前記軸方向における一端部、に設けられている第一押圧レバー２１３、を付勢するための第一圧縮バネ２１５のバネ定数は、第一壁部５５ａ、５５ｂ、５５ｃ、５５ｄの、前記軸方向における他端部、に設けられている第二押圧レバー２１３、を付勢するための第二圧縮バネ２１６のバネ定数と、異なることとしたが、これに限定されるものではなく、例えば、第一圧縮バネ２１５のバネ定数と第二圧縮バネ２１６のバネ定数は、同じであることとしてもよい。
【０１１６】
第一押圧レバー２１３の当接部２１３ａの、前記交差方向Ｘ２における位置と、第二押圧レバー２１４の当接部２１４ａの、前記交差方向Ｘ２における位置と、が異なり、かつ、第一圧縮バネ２１５のバネ定数と第二圧縮バネ２１６のバネ定数が同じである場合には、回動軸Ａｘの軸方向一端側、軸方向他端側間の押圧のバランスが悪くなる可能性がある。これに対し、第一圧縮バネ２１５のバネ定数を第二圧縮バネ２１６のバネ定数と異ならせることとすれは、前記押圧のバランスを良くすることができる。かかる点で、上記実施の形態の方が、より望ましい。
【０１１７】
＝＝＝画像形成システム等の構成＝＝＝
次に、本発明に係る実施の形態の一例である画像形成システムの実施形態について、図面を参照しながら説明する。
【０１１８】
図２０は、画像形成システムの外観構成を示した説明図である。画像形成システム７００は、コンピュータ７０２と、表示装置７０４と、プリンタ７０６と、入力装置７０８と、読取装置７１０とを備えている。コンピュータ７０２は、本実施形態ではミニタワー型の筐体に収納されているが、これに限られるものではない。表示装置７０４は、ＣＲＴ（Cathode Ray Tube：陰極線管）やプラズマディスプレイや液晶表示装置等が用いられるのが一般的であるが、これに限られるものではない。プリンタ７０６は、上記に説明されたプリンタが用いられている。入力装置７０８は、本実施形態ではキーボード７０８Ａとマウス７０８Ｂが用いられているが、これに限られるものではない。読取装置７１０は、本実施形態ではフレキシブルディスクドライブ装置７１０ＡとＣＤ−ＲＯＭドライブ装置７１０Ｂが用いられているが、これに限られるものではなく、例えばＭＯ（Magneto Optical）ディスクドライブ装置やＤＶＤ（Digital Versatile Disk）等の他のものであっても良い。
【０１１９】
図２１は、図２０に示した画像形成システムの構成を示すブロック図である。コンピュータ７０２が収納された筐体内にＲＡＭ等の内部メモリ８０２と、ハードディスクドライブユニット８０４等の外部メモリがさらに設けられている。
【０１２０】
なお、以上の説明においては、プリンタ７０６が、コンピュータ７０２、表示装置７０４、入力装置７０８、及び、読取装置７１０と接続されて画像形成システムを構成した例について説明したが、これに限られるものではない。例えば、画像形成システムが、コンピュータ７０２とプリンタ７０６から構成されても良く、画像形成システムが表示装置７０４、入力装置７０８及び読取装置７１０のいずれかを備えていなくても良い。
【０１２１】
また、例えば、プリンタ７０６が、コンピュータ７０２、表示装置７０４、入力装置７０８、及び、読取装置７１０のそれぞれの機能又は機構の一部を持っていても良い。一例として、プリンタ７０６が、画像処理を行う画像処理部、各種の表示を行う表示部、及び、デジタルカメラ等により撮影された画像データを記録した記録メディアを着脱するための記録メディア着脱部等を有する構成としても良い。
【０１２２】
このようにして実現された画像形成システムは、システム全体として従来システムよりも優れたシステムとなる。
【図面の簡単な説明】
【０１２３】
【図１】プリンタ１０がカラープリンタとして使用される際の主要構成要素を示した図である。
【図２】プリンタ１０がモノクロプリンタとして使用される際の主要構成要素を示した図である。
【図３】制御ユニット１００を示すブロック図である。
【図４】現像器を表側から見たときの斜視図である。
【図５】現像器を裏側から見たときの斜視図である。
【図６】現像器の主要構成要素を示した断面図である。
【図７】連結部材５９０の正面図である。
【図８】連結部材５９０の背面を示した斜視図である。
【図９】現像器保持ユニット５０を示した斜視図である。
【図１０】４つのメインフレーム２１１、２２１、２３１、２４１と連結部２５０とを示した斜視図である。
【図１１】サブフレーム２１２のおもて面を示した斜視図である。
【図１２】サブフレーム２１２の裏面を示した斜視図である。
【図１３】図１２に示したサブフレーム２１２から押圧レバー等が取り除かれた様子を示した斜視図である。
【図１４】サブフレーム２１２の、メインフレーム２１１への取り付け構造を説明するための説明図である。
【図１５】サブフレーム２１２に設けられている接触部２１２ｃの拡大図である。
【図１６】第一押圧レバー２１３を示した斜視図である。
【図１７】第二押圧レバー２１４を示した斜視図である。
【図１８】装着部に装着された現像器とフレームとの位置関係を示した斜視図である。
【図１９】図１９Ａ乃至図１９Ｃは、回転する現像器保持ユニット５０の停止位置を示した図である。
【図２０】画像形成システムの外観構成を示した説明図である。
【図２１】図２０に示した画像形成システムの構成を示すブロック図である。
【符号の説明】
【０１２４】
１０  プリンタ、２０  感光体、３０  帯電ユニット、３１  ＨＰ検出部、
３７  装着専用口、４０  露光ユニット、５０  現像器保持ユニット、
５０ａ、５０ｂ、５０ｃ、５０ｄ  装着部、５０ｅ  回転軸、
５１  ブラック現像器、５２  シアン現像器、５３  マゼンタ現像器、
５４  イエロー現像器、５５ａ、５５ｂ、５５ｃ、５５ｄ  第一壁部、
５７ａ、５７ｂ、５７ｃ、５７ｄ  第二壁部、６０  一次転写ユニット、
７０  中間転写体、７５  クリーニングユニット、７６  クリーニングブレード、
８０  二次転写ユニット、９０  定着ユニット、９２  給紙トレイ、
９４  給紙ローラ、９５  表示ユニット、９６  レジローラ、
１００  制御ユニット、１０１  コントローラ部、１０２  ユニット制御部、
１１１  ＣＰＵ、１１２  インターフェース、１１３  画像メモリ、
１１４  コントローラ部側メモリ、１１４ａ  ＥＥＰＲＯＭ、１１４ｂ  ＲＡＭ、
１１６  ユニット制御部側メモリ、１１６ａ  ＥＥＰＲＯＭ、
１２０  ＣＰＵ、１２３  入出力ポート、２１０  フレーム、
２１１  メインフレーム、２１１ａ  ネジ止め部、２１１ｂ  穴部、
２１１ｃ  重なり部、２１１ｄ  非露出面、２１１ｅ  リブ、
２１２  サブフレーム、２１２ａ  重なり部、２１２ｂ  貫通部、
２１２ｃ  接触部、２１２ｄ  ネジ止め部、２１２ｅ  非露出面、２１２ｆ  リブ、
２１３  第一押圧レバー、２１３ａ  当接部、２１３ｂ  回動支点、
２１３ｃ  バネ固定部、２１４  第二押圧レバー、
２１４ａ  当接部、２１４ｂ  回動支点、２１４ｃ  バネ固定部、
２１５  第一圧縮バネ、２１６  第二圧縮バネ、２１７  凹部、
２１８  回動規制部、２１８ａ  内側面、２１９  抜け防止部、２１９ａ  内側面、
２２０  フレーム、２２１  メインフレーム、２２２  サブフレーム、
２２８  回動規制部、２２９  抜け防止部、
２３０  フレーム、２３１  メインフレーム、２３２  サブフレーム、
２３８  回動規制部、２３９  抜け防止部、
２４０  フレーム、２４１  メインフレーム、２４２  サブフレーム、
２４８  回動規制部、２４９  抜け防止部、
２５０  連結部、２５０ａ、２５０ｂ、２５０ｃ、２５０ｄ  延出部、
２５２  連結穴、２５３  連結穴、２６０  位置決め部、２６２  位置決め穴、
５１０  現像ローラ、５１０ａ  大径部、５２０  シール部材、
５２４  シール付勢部材、５３０  トナー収容部、５４０  ハウジング、
５４０ａ  凸部、５４０ｂ  凸部、５４０ｃ  リブ、５４０ｄ  リブ、
５５０  トナー供給ローラ、５６０  規制ブレード、
５６０ａ  ゴム部、５６０ｂ  ゴム支持部、５６２  ブレード支持板金、
５７０  ブレード裏部材、５７２  開口、５７４  コロ、５７６  接触面、
５７８  接触面、５８８  位置決めピン、５９０  連結部材、
５９０ａ  穴部、５９０ｂ  穴部、５９０ｃ  連結ピン、５９０ｄ  連結ピン、
７００  画像形成システム、７０２  コンピュータ、７０４  表示装置、
７０６  プリンタ、７０８  入力装置、７０８Ａ  キーボード、７０８Ｂ  マウス、
７１０  読取装置、７１０Ａ  フレキシブルディスクドライブ装置、
７１０Ｂ  ＣＤ−ＲＯＭドライブ装置、
８０２  内部メモリ、８０４  ハードディスクドライブユニット、
Ｔ  トナー
【図１】
2006308696.tif 000003
【図２】
2006308696.tif 000004
【図３】
2006308696.tif 000005
【図６】
2006308696.tif 000006
【図７】
2006308696.tif 000007
【図８】
2006308696.tif 000008
【図１４】
2006308696.tif 000009
【図１５】
2006308696.tif 000010
【図１９】
2006308696.tif 000011
【図２０】
2006308696.tif 000012
【図２１】
2006308696.tif 000013
【図４】
2006308696.tif 000014
【図５】
2006308696.tif 000015
【図９】
2006308696.tif 000016
【図１０】
2006308696.tif 000017
【図１１】
2006308696.tif 000018
【図１２】
2006308696.tif 000019
【図１３】
2006308696.tif 000020
【図１６】
2006308696.tif 000021
【図１７】
2006308696.tif 000022
【図１８】
2006308696.tif 000023